(57)【特許請求の範囲】
【請求項１】
細骨材を脱水する脱水システムであって、
一方向に傾斜した傾斜面と、
当該傾斜面の上に積層された礫層と、
当該礫層の上に積層された透水層と、
前記礫層の内部に埋設されて略水平方向に延びるとともに複数の貫通孔が形成された吸引管と、
当該吸引管を通して吸引する吸引装置と、を備え、
自然排水に強制排水を組み合わせて細骨材を脱水することを特徴とする細骨材の脱水システム。
【請求項２】
前記透水層は、耐久性の高い透水性シートまたはメッシュ状の部材であり、上面が略水平な礫層の上に敷かれているとともに、
前記吸引管は、環状の外周管と、当該外周管の互いに対向する部分に架け渡された複数本の架渡し菅と、を備えることを特徴とする請求項１に記載の細骨材の脱水システム。
【発明の詳細な説明】
【技術分野】
【０００１】
本発明は、細骨材の脱水システムに関する。詳しくは、生コンクリートに用いられる細骨材の表面水を脱水する脱水システムに関する。
【背景技術】
【０００２】
従来より、生コンクリートには細骨材が用いられるが、この細骨材は砕石や洗浄により多量の水分を含んでいるため、コンクリートに使用する前に細骨材を脱水することが行われている。これは、細骨材の表面水率が一定でないと、生コンクリート中の単位水量が変動して、スランプやコンクリート強度も変動し、コンクリートの品質に影響が出るからである。
細骨材を脱水する方法としては、自然排水法と、ウエルポイント、遠心脱水器、密閉容器などを用いた強制排水法とがある。
【０００３】
自然排水法は、例えば、傾斜面を細骨材の仮置場として、この傾斜面に細骨材を堆積する。すると、堆積した細骨材の山の内部では、細骨材の表面水が下方に移動して傾斜面に到達し、この傾斜面に沿って流れて、山の外部に排出される。
【０００４】
ウエルポイントを用いた強制排水法は、仮置場に細骨材を堆積して山を形成し、この山の内部に上から略鉛直にウエルポイントを取り付けたライザーパイプを挿入する。そして、ライザーパイプの基端側に真空ポンプを接続し、この真空ポンプを駆動することで、ウエルポイントを通して山の内部の水を吸引する。
【０００５】
また、遠心脱水器を用いた強制排水法は、遠心脱水器に細骨材を投入し、遠心分離により脱水する（特許文献１参照）。
また、密閉容器を用いた強制排水法は、密閉容器に細骨材を投入し、容器内を減圧して強制的に脱水する（特許文献２参照）。
【先行技術文献】
【特許文献】
【０００６】
【特許文献１】特開２００４−２２５２７９号公報
【特許文献２】特開２００４−２０５１２号公報
【発明の概要】
【発明が解決しようとする課題】
【０００７】
しかしながら、自然排水法では、脱水に時間がかかる、という問題があった。
また、ウエルポイントを用いた強制排水法では、大量の細骨材を脱水しようとすると、細骨材の山が大きくなり、山の表層よりも深い位置にある水を吸引することが困難になる、という問題があった。
また、遠心脱水器や密閉容器を用いる強制排水法では、細骨材を機器内に投入する必要があるため、機器が大型化して、コストがかかる、という問題があった。
【０００８】
本発明は、大量の細骨材を低コストで迅速に脱水できる細骨材の脱水システムを提供することを目的とする。
【課題を解決するための手段】
【０００９】
請求項１に記載の細骨材の脱水システム（例えば、後述の細骨材の脱水システム１）は、細骨材を脱水する脱水システムであって、一方向に傾斜した傾斜面（例えば、後述の傾斜面１０）と、当該傾斜面の上に積層された礫層（例えば、後述の礫層２０）と、当該礫層の上に積層された透水層（例えば、後述の透水性シート３０）と、前記礫層の内部に埋設されて略水平方向に延びるとともに複数の貫通孔（例えば、後述の吸引孔４４）が形成された吸引管（例えば、後述の吸引管４０）と、当該吸引管を通して吸引する吸引装置（例えば、後述の吸引装置５０）と、を備え、自然排水に強制排水を組み合わせて細骨材を脱水することを特徴とする。
【００１０】
この発明によれば、透水層の上に細骨材を堆積して、吸引装置を駆動する。すると、吸引管を通して空気が吸引されるため、礫層内部が負圧状態となる。よって、堆積した細骨材の表面水は、重力に加えて負圧状態となった礫層側に吸引されることで、迅速に下方に移動する。
この下方に移動した水は、礫層内の吸引管を通して吸引装置に吸引されて排出されるが、吸引装置に吸引されなかった水は、透水層および礫層を通過して傾斜面に到達し、傾斜面を流れて自然排出される。
【００１１】
このように、自然排水に強制排水を組み合わせることで、自然排水のみの場合と比べて迅速に細骨材を脱水できる。
また、吸引装置を駆動することにより礫層内部の広範囲が負圧状態となり、広範囲に亘って細骨材の表面水を下方側に吸引して強制排水できる。
また、吸引管を略水平方向に配置したので、従来のように吸引管内の水を上方に吸い上げる必要がない。よって、吸引装置で容易に吸引できることで、吸引装置を大型化する必要がなく、低コストとなる。
また、遠心脱水器や密閉容器を用いた場合のように、機器内に細骨材を投入する必要がないから、大量の細骨材を脱水できる。
【００１２】
請求項２に記載の細骨材の脱水システムは、前記透水層は、耐久性の高い透水性シートまたはメッシュ状の部材であり、上面が略水平な礫層の上に敷かれているとともに、前記吸引管は、環状の外周管と、当該外周管の互いに対向する部分に架け渡された複数本の架渡し管と、を備えることを特徴とする。
【００１３】
この発明によれば、透水層として耐久性の高い透水性シートまたはメッシュ状の部材を用いた。よって、細骨材を脱水した後、この細骨材をホイールローダで搬出する際に、この透水性シートやメッシュ状の部材の上をホイールローダが走行しても、透水性シートやメッシュ状の部材が破損するのを防止できる。
【発明の効果】
【００１４】
本発明によれば、自然排水に強制排水を組み合わせることで、自然排水のみの場合と比べて迅速に細骨材を脱水できる。
また、吸引装置を駆動することにより礫層内部の広範囲が負圧状態となり、広範囲に亘って細骨材の表面水を下方側に吸引して強制排水できる。また、吸引管を略水平方向に配置したので、従来のように吸引管内の水を上方に吸い上げる必要がない。よって、吸引装置で容易に吸引できることで、吸引装置を大型化する必要がなく、低コストとなる。
また、遠心脱水器や密閉容器を用いた場合のように、機器内に細骨材を投入する必要がないから、大量の細骨材を脱水できる。
【図面の簡単な説明】
【００１５】
【図１】本発明の一実施形態に係る細骨材の脱水システムの縦断面図である。
【図２】前記実施形態に係る細骨材の脱水システムの吸引管の配置を示す平面図である。
【発明を実施するための形態】
【００１６】
以下、本発明の一実施形態を図面に基づいて説明する。
図１は、本発明の一実施形態に係る細骨材の脱水システム１の縦断面図である。
【００１７】
細骨材の脱水システム１は、細骨材の表面水を脱水するものである。この細骨材の脱水システム１は、透水性が低く一方向に傾斜した傾斜面１０と、この傾斜面１０の上に積層されて上面が略水平な礫層２０と、この礫層２０の上に敷かれた透水層としての耐久性の高い透水性シート３０と、礫層２０の内部に埋設されて略水平方向に延びる吸引管４０と、この吸引管４０を通して水分を吸引する吸引装置５０と、を備える。
透水性シート３０の上には、細骨材が堆積されて山６０が形成されている。
【００１８】
図２は、吸引管の配置を示す平面図である。
吸引管４０は、ナイロンチューブであり、環状の外周管４１と、この外周管４１の互いに対向する部分に架け渡された複数本の架渡し管４２と、を備える。
外周管４１は、細骨材の山６０の直下に位置するように配置され、外周管４１と架渡し管４２とは、Ｔ字形状のチューブ継手４３で接続されている。
【００１９】
外周管４１および架渡し管４２には、複数の貫通孔としての吸引孔４４が形成されている。
吸引装置５０は、真空力によって集水して排水するウエルポイントポンプであり、外周管４１にチューブ継手４３を介して接続されている。
【００２０】
以上の細骨材の脱水システム１は、以下のようにして、細骨材の表面水を脱水する。
まず、透水層の上に細骨材を堆積して山６０を形成し、吸引装置５０を駆動する。すると、吸引装置５０により吸引管４０を通して吸引孔４４から空気が吸引されるため、礫層２０の内部の広範囲が負圧状態となる。よって、堆積した細骨材の山６０表面水６１は、図１中矢印で示すように、重力に加えて負圧状態となった礫層２０側に吸引されることで、迅速に下方に移動する。
この下方に移動した水は、礫層２０内の吸引管４０を通して吸引装置５０に吸引されて排出される。一方、吸引装置５０に吸引されなかった水は、透水性シート３０および礫層２０を通過して傾斜面１０に到達し、傾斜面１０を流れて自然排出される。
【００２１】
本実施形態によれば、以下のような効果がある。
（１）自然排水に強制排水を組み合わせることで、自然排水のみの場合と比べて迅速に細骨材を脱水できる。
また、吸引装置５０を駆動することにより礫層２０内部の広範囲が負圧状態となるので、広範囲に亘って細骨材の表面水６１を下方側に吸引して強制排水できる。
また、吸引管４０を略水平方向に配置したので、従来のように吸引管内の水を上方に吸い上げる必要がない。よって、吸引装置５０で容易に吸引できることで、吸引装置５０を大型化する必要がなく、低コストとなる。
また、遠心脱水器や密閉容器を用いた場合のように、機器内に細骨材を投入する必要がないから、大量の細骨材を脱水できる。
【００２２】
（２）透水層として耐久性の高い透水性シート３０を用いたので、細骨材を脱水した後、細骨材を透水性シート３０上からホイールローダで搬出するが、透水性シート３０上をホイールローダが走行しても、この透水性シート３０が破損するのを防止できる。
【００２３】
なお、本発明は前記実施形態に限定されるものではなく、本発明の目的を達成できる範囲での変形、改良等は本発明に含まれるものである。
例えば、本実施形態では、透水層として透水性シート３０を用いたが、これに限らず、メッシュ状の部材や、透水性に優れた板状部材を用いてもよい。
また、本実施形態では、傾斜面１０を一方向に傾斜させたが、これに限らず、傾斜面を中央部が周辺部に比べて高い山状としてもよい。
【符号の説明】
【００２４】
１…細骨材の脱水システム
１０…傾斜面
２０…礫層
３０…透水性シート（透水層）
４０…吸引管
４１…外周管
４２…架渡し管
４３…チューブ継手
４４…吸引孔（貫通孔）
５０…吸引装置
６０…山
【図１】
0005934574.tif 000002
【図２】
0005934574.tif 000003